(57)【特許請求の範囲】
【請求項１】
環状板材における中間環状領域に断面逆Ｕ形の山部を形成した保持器本体からなり、該保持器本体には前記山部から内外径側の平坦状の内外径側裾部にわたって柱部で分離され、針状ころを収容して保持するポケットが放射状に形成され、前記山部の山頂部にはポケット内に突出する中間側係止部が形成され、前記内外径側裾部にはポケット内に突出する外径側係止部と内径側係止部とが形成され、互いに対向する前記中間側係止部、外径側係止部、内径側係止部のそれぞれの先端間隔を前記針状ころのころ径より小さくしたスラスト針状ころ軸受用の保持器において、
前記中間側係止部は、その内外径側のいずれか一方側を、前記山部の山頂部から中腹部に連続する肩曲部まで至らせ、
前記外径側係止部、内径側係止部は、それぞれの内外径側のいずれか一方側を、前記山部の内外径側裾部から中腹部に連続する隅曲部まで至らせて形成したことを特徴とするスラスト針状ころ軸受用の保持器。
【請求項２】
前記中間側係止部は、その内外径側を、前記山部の山頂部から中腹部に連続する肩曲部まで至らせ、
前記外径側係止部、内径側係止部は、それぞれの内外径側を、前記山部の内外径側裾部から中腹部に連続する隅曲部まで至らせて形成したことを特徴とする請求項１記載のスラスト針状ころ軸受用の保持器。
【請求項３】
前記中間側係止部の内径側と前記内径側係止部の外径側、及び前記中間側係止部の外径側と前記外径側係止部の内径側とは、スラスト荷重方向でオーバーラップさせるようにした請求項１又は２記載のスラスト針状ころ軸受用の保持器。
【請求項４】
柱部で分離され、針状ころを収容して保持するポケットが放射状に配設され、前記針状ころの外径面に接して、その針状ころの脱落を規制する係止部を有するスラスト針状ころ軸受用の保持器の製造方法であって、
板状部材に、前記針状ころを収容すべき前記ポケットの基部となるポケット窓部を、柱部で分離されるようにプレス加工するポケット予備成形工程と、
前記ポケット窓部における放射方向の中間領域に、前記柱部から前記ポケット窓部内に突出する前記係止部としての中間側係止部をプレス加工する中間側係止部成形工程と、
前記ポケット窓部における放射方向の内径側に、前記柱部から前記ポケット窓部内に突出する前記係止部としての内径側係止部をプレス加工する内径側係止部成形工程と、
前記ポケット窓部における放射方向の外径側に、前記柱部から前記ポケット窓内に突出する前記係止部としての外径側係止部をプレス加工する外径側係止部成形工程と、
前記板状部材から環状の環状板材をプレス加工する環状体成形工程と、を含み、
前記ポケット予備成形工程、中間側係止部成形工程、内径側係止部成形工程、外径側係止部成形工程、環状体成形工程の組み合わせによって成形された保持器本体の中間環状領域に、断面逆Ｕ形の山部をプレス加工する保持器本成形工程を有し、
前記中間側係止部は、その内外径側のいずれか一方側を、前記山部の山頂部から中腹部に連続する肩曲部まで至らせ、
前記外径側係止部、内径側係止部は、それぞれの内外径側のいずれか一方側を、前記山部の内外径側裾部から中腹部に連続する隅曲部まで至らせて成形するようにしたスラスト針状ころ軸受用の保持器の製造方法。
【請求項５】
前記中間側係止部は、その内外径側を、前記山部の山頂部から中腹部に連続する肩曲部まで至らせ、
前記外径側係止部、内径側係止部は、それぞれの内外径側を、前記山部の内外径側裾部から中腹部に連続する隅曲部まで至らせて成形させたことを特徴とする請求項４記載のスラスト針状ころ軸受用の保持器の製造方法。
【請求項６】
前記中間側係止部の内径側と前記内径側係止部の外径側、及び前記中間側係止部の外径側と前記外径側係止部の内径側とは、スラスト荷重方向でオーバーラップさせるようにした請求項４又は５記載のスラスト針状ころ軸受用の保持器の製造方法。
【発明の詳細な説明】
【技術分野】
【０００１】
本発明は、スラスト針状ころ軸受用の保持器及びその製造方法に関する。
【背景技術】
【０００２】
一般的なスラスト針状ころ軸受用の保持器としては、特許文献１に開示されるように、環状の鋼板を素材として、その内外周に折り曲げ形成された鍔が設けられ、これらの鍔の間の中間環状部がハット形断面に形成され、この中間環状部に針状ころを収納する複数のポケットが円周方向に等間隔で設けられ、このポケットの半径方向縁と、ハット形断面の円周方向縁の上底面と下底面で針状ころを保持するものである。
【０００３】
そして、この保持器は、薄鋼板から環状のブランクを打ち抜き、このブランクの中間環状部を、ハット形断面に絞り加工成形し、つぎに鍔を成形し、最後に、ハット形断面の中間環状部に、ポケットを円周方向に等間隔で打ち抜いている。
【０００４】
【特許文献１】特開２０００−２１３５４６号公報
【０００５】
ところが、特許文献１の従来の保持器にあっては、ハット形断面に成形した後に、ポケットを打ち抜いているため、図１０に示すようにハット形断面Ｈにおける上底面Ｈ１と下底面Ｈ２間に、打ち抜き型が通過した領域Ｈ３を有することにより、上底面Ｈ１及び下底面Ｈ２の幅寸法長さＬ１が必然と短くなる。
この保持器に針状ころを収容したスラスト針状ころ軸受が機器などに組み込まれるまでには、搬送中での振動や、搬送姿勢、或いは作業者による取り扱いなどに起因して、ポケット内で針状ころＷが傾斜姿勢となる場合がある。特に針状ころＷのころ径に比べ、ころの長さが短い（ころ長さ／ころ径＜１．５）小型にあっては、ハット形断面Ｈの上底面Ｈ１及び下底面Ｈ２に針状ころＷが引っ掛からなくなり、傾斜状態から脱落する問題がある。
【発明の開示】
【発明が解決しようとする課題】
【０００６】
本発明の課題は、針状ころの脱落を防止するようにしたスラスト針状ころ軸受用の保持器及びその製造方法を提供することにある。
【課題を解決するための手段及び発明の効果】
【０００７】
上記課題を解決するために、本発明のスラスト針状ころ軸受用の保持器は、環状板材における中間環状領域に断面逆Ｕ形の山部を形成した保持器本体からなり、該保持器本体には前記山部から内外径側の平坦状の内外径側裾部にわたって、柱部で分離され、針状ころを収容して保持するポケットが放射状に形成され、前記山部の山頂部にはポケット内に突出する中間側係止部が形成され、前記内外径側裾部にはポケット内に突出する外径側係止部と内径側係止部とが形成され、互いに対向する前記中間側係止部、外径側係止部、内径側係止部のそれぞれの先端間隔を前記針状ころのころ径より小さくしたスラスト針状ころ軸受用の保持器において、前記中間側係止部は、その内外径側のいずれか一方側を、前記山部の山頂部から中腹部に連続する肩曲部まで至らせ、前記外径側係止部、内径側係止部は、それぞれの内外径側のいずれか一方側を、前記山部の内外径側裾部から中腹部に連続する隅曲部まで至らせて形成したことを特徴とする。
【０００８】
上記構成とすることにより、従来の保持器に比べ、各係止部の幅寸法長さＬ２が長くなり、かつ針状ころＷの自転軸ＣＬに近い外径面に、各係止部を接触させることができるため、小型の針状ころＷであっても、その脱落を防止することができる。
【０００９】
また、中間側係止部は、その内外径側を、山部の山頂部から中腹部に連続する肩曲部まで至らせ、外径側係止部、内径側係止部は、それぞれの内外径側を、山部の内外径側裾部から中腹部に連続する隅曲部まで至らせて形成したので、上記の各係止部の幅寸法長さＬ２を更に長くでき、小型の針状ころＷの脱落防止効果が高くなる。
【００１０】
また、中間側係止部の内径側と内径側係止部の外径側、及び中間側係止部の外径側と外径側係止部の内径側とは、スラスト荷重方向でオーバーラップさせるようにしたので、上記効果に加え、山部３の中腹部３ｂの傾斜を急にすることができ、このことによって、針状ころＷの外径面に接触する各係止部の位置が更に自転軸ＣＬに近づくため、小型の針状ころＷの脱落防止効果が高くなる。
【００１１】
また、柱部で分離され、針状ころを収容して保持するポケットが放射状に配設され、前記針状ころの外径面に接して、その針状ころの脱落を規制する係止部を有するスラスト針状ころ軸受用の保持器の製造方法であって、板状部材に、前記針状ころを収容すべき前記ポケットの基部となるポケット窓部を、柱部で分離されるようにプレス加工するポケット予備成形工程と、前記ポケット窓部における放射方向の中間領域に、前記柱部から前記ポケット窓部内に突出する前記係止部としての中間側係止部をプレス加工する中間側係止部成形工程と、前記ポケット窓部における放射方向の内径側に、前記柱部から前記ポケット窓部内に突出する前記係止部としての内径側係止部をプレス加工する内径側係止部成形工程と、前記ポケット窓部における放射方向の外径側に、前記柱部から前記ポケット窓内に突出する前記係止部としての外径側係止部をプレス加工する外径側係止部成形工程と、前記板状部材から環状板材をプレス加工する環状体成形工程と、を含み、前記ポケット予備成形工程、中間側係止部成形工程、内径側係止部成形工程、外径側係止部成形工程、環状体成形工程の組み合わせによって成形された保持器本体の中間環状領域に、断面逆Ｕ形の山部をプレス加工する保持器本成形工程を有し、前記中間側係止部は、その内外径側のいずれか一方側を、前記山部の山頂部から中腹部に連続する肩曲部まで至らせ、前記外径側係止部、内径側係止部は、それぞれの内外径側のいずれか一方側を、前記山部の内外径側裾部から中腹部に連続する隅曲部まで至らせて成形するようにしたことを特徴とする。
【００１２】
上記構成とすることにより、幅寸法長さＬ２を長くし、かつ針状ころＷの自転軸ＣＬに近い外径面に、接触させる各係止部を形成することができるため、小型の針状ころＷの脱落防止に優れた保持器を製造することができる。
【発明の実施の形態】
【００１３】
以下、本発明の実施の形態につき図面に示す実施例を参照して説明する。図１は本実施の形態にかかるスラスト針状ころ軸受用の保持器の部分平面図である。図２は保持器の部分斜視図である。図３は保持器の部分断面図である。
【００１４】
図１乃至図３において、スラスト針状ころ軸受用の保持器１は、一枚の環状板材２から保持器本体１ａを形成する。該保持器本体１ａは、環状板材２の中間環状領域にプレス加工によって断面逆Ｕ字状の台形を呈した山部３が形成されるとともに、該山部３の両側の内外径側には、裾部としての連続する平坦状の内径側裾部４、外径側裾部５が形成される。なお、内径側裾部４の内周縁には、内径側鍔部４ａが形成され、外径側裾部５の外周縁には、外径側鍔部５ａが形成される。
【００１５】
この保持器本体１ａの環状板材２の円周方向には、針状ころＷを収容保持するためのポケット６が放射状に複数形成される。該ポケット６は、柱部７によって分離されるように、山部３から両側の内径側裾部４及び外径側裾部５の一部にわたって打ち抜き加工により開口形成した平面視矩形状の基部としてのポケット窓部６ａが形成される。該ポケット窓部６ａには、針状ころＷの脱落を規制する係止部としての中間側係止部８、外径側係止部９、内径側係止部１０が形成される。
【００１６】
中間側係止部８は、山部３の山頂部３ａからポケット窓部６ａ内に突出するように設けられ、互いに対向する中間側係止部８の先端間隔Ｘを針状ころＷのころ径Ｄより小さくし、針状ころＷの自転軸ＣＬから外れた外径面に接するようにしている。中間側係止部８は、その内外径側のいずれか一方側、又は両側を、山部３の山頂部３ａから中腹部３ｂに連続する肩曲部３ｃまで至らせている。これによって、幅寸法長さＬ２（図１参照）が長くなり、かつ針状ころＷの自転軸ＣＬに近い外径面に接触させることができる。
【００１７】
裾部としての内径側裾部４、外径側裾部５には、ポケット窓部６ａ内に突出する外径側係止部９と内径側係止部１０とがそれぞれ形成され、互いに対向する外径側係止部９、内径側係止部１０の先端間隔Ｘを針状ころＷのころ径Ｄより小さくし、針状ころＷの自転軸ＣＬから外れた外径面に接するようにしている。外径側係止部９、内径側係止部１０は、それぞれの内外径側のいずれか一方側、又は両側を、山部３の内外径側裾部４、５から中腹部３ｂに連続する隅曲部３ｄまで至らせている。これによって、幅寸法長さＬ２（図３参照）が長くなり、かつ針状ころＷの自転軸ＣＬに近い外径面に接触させることができる。
【００１８】
中間側係止部８の内径側と内径側係止部１０の外径側、及び中間側係止部８の外径側と外径側係止部９の内径側とは、スラスト針状ころ軸受としてのスラスト荷重方向でオーバーラップＺ（図３参照）させるように形成することが可能となり、板材の肉厚や、肩曲部３ｃ、隅曲部３ｄの曲げ半径を同一にして保持器１を形成した場合には、山部３の中腹部３ｂの傾斜を急にすることができ、これによって、各係止部が接触する針状ころＷの外径面の位置を、さらに自転軸ＣＬに近づけることができる。
【００１９】
つぎに、本発明のスラスト針状ころ軸受用の保持器の製造方法について図面を参照して説明する。図４はポケット予備成形工程を示す図である。図５は中間係止部成形工程を示す図である。図６は内径側係止部成形工程を示す図である。図７は内径側係止部成形工程を示す図である。図８は環状体成形工程を示す図である。図９は保持器本成形工程を示す図である。
【００２０】
保持器の製造方法としては、ポケット予備成形工程、中間係止部成形工程、内径側係止部成形工程、外径側係止部成形工程、環状体成形工程、保持器本成形工程を含んでいる。
ポケット予備成形工程は図４に示すように、板状部材Ｐに、針状ころＷを収容すべきポケット６の基部となるポケット窓部６ａを、柱部７で分離されるようにプレス加工によって打ち抜く工程である。
【００２１】
中間側係止部成形工程は図５に示すように、ポケット窓部６ａにおける放射方向の中間領域に、柱部７からポケット窓部６ａ内に突出する係止部としての中間側係止部８をプレス加工によって打ち抜く工程である。
【００２２】
内径側係止部成形工程は図６に示すように、ポケット窓部６ａにおける放射方向の内径側に、柱部７からポケット窓部６ａ内に突出する係止部としての内径側係止部１０をプレス加工によって打ち抜く工程である。
【００２３】
外径側係止部成形工程は図７に示すように、ポケット窓部６ａにおける放射方向の外径側に、柱部７からポケット窓６ａ内に突出する係止部としての外径側係止部９をプレス加工によって打ち抜く工程である。
【００２４】
環状体成形工程は図８に示すように、板状部材Ｐから環状の環状板材２をプレス加工によって打ち抜く工程である。
【００２５】
保持器本成形工程は図９に示すように、ポケット予備成形工程、中間側係止部成形工程、内径側係止部成形工程、外径側係止部成形工程、環状体成形工程の組み合わせによって成形された環状板材２の中間環状領域に、断面逆Ｕ形の山部３をプレス加工によって塑性変形させる工程である。
【００２６】
要するに保持器１の製造方法としては、ポケット予備成形工程、中間側係止部成形工程、内径側係止部成形工程、外径側係止部成形工程、環状体成形工程等の時系列順序に限定されず、例えば、環状体成形工程によって環状板材２を板状部材Ｐから成形するように打ち抜いて形成し、つぎに、ポケット予備成形工程、中間側係止部成形工程、内径側係止部成形工程、外径側係止部成形工程を同時に行える単一の打ち抜き型(図示せず)を使用して環状板材２を打ち抜きして、成形することも可能である。
【００２７】
このようにして、針状ころＷの脱落を規制する係止部としての中間側係止部８、外径側係止部９、内径側係止部１０を備えるポケット６を、各工程の組み合わせによって環状板材２に予め形成し、その後、図９に示すように保持器本成形工程によって中間環状領域に山部３を形成して保持器１となし、係止部としての中間側係止部８、外径側係止部９、内径側係止部１０によってポケット６内の針状ころＷの脱落を防止させるようにするものである。
【図面の簡単な説明】
【００２８】
【図１】スラスト針状ころ軸受用の保持器の平面図。
【図２】保持器を示す部分斜視図。
【図３】保持器を示す部分断面図。
【図４】ボケット予備成形工程を示す図。
【図５】中間係止部成形工程を示す図。
【図６】外径側係止部成形工程を示す図。
【図７】内径側係止部成形工程を示す図。
【図８】環状体成形工程を示す図。
【図９】保持器成形本工程を示す図。
【図１０】背景技術における保持器を示す図。
【符号の説明】
【００２９】
１        保持器
１ａ      保持器本体
２        環状板材
３        山部
３ａ      山頂部
３ｂ      中腹部
３ｃ      肩曲部
３ｄ      隅曲部
４        内径側裾部
５        外径側裾部
６        ポケット
６ａ      ポケット窓部
７        柱部
８        中間側係止部
９        外径側係止部
１０      内径側係止部
Ｘ        先端間隔
Ｄ        ころ径
Ｗ        針状ころ
【図１】
0005126579.tif 000002
【図２】
0005126579.tif 000003
【図３】
0005126579.tif 000004
【図４】
0005126579.tif 000005
【図５】
0005126579.tif 000006
【図６】
0005126579.tif 000007
【図７】
0005126579.tif 000008
【図８】
0005126579.tif 000009
【図９】
0005126579.tif 000010
【図１０】
0005126579.tif 000011